(57)【要約】【課題】レンズと鏡体の鏡面との距離を調整し、鏡面に映る自身の像のピントを合わせることが可能なレンズ付き鏡を提供する。【解決手段】鏡面を有する鏡体２２外周部を囲繞し、内周面に雌螺子２６を有する鏡支持体２４と、老眼用の凸レンズなどのレンズ１２外周部を囲繞し、外周面に雄螺子１６を有するレンズ支持体１４とを備え、レンズ支持体１４を鏡支持体２４に挿入して、レンズ支持体１４の雄螺子１６及び鏡支持体２４の雌螺子２６を螺合させたレンズ付き鏡１０を用いることにより、レンズ支持体１４を鏡支持体２４に対して回転させた場合、レンズ支持体１４が鏡支持体２４に対して上下に移動し、レンズ１２と鏡体（鏡面）２２との距離を調整することが可能になる。【選択図】        図２
2004170823.tif 000002
【特許請求の範囲】
【請求項１】
鏡面を有する鏡体と、レンズと、レンズを鏡面方向に移動自在に支持する支持体とを備えることを特徴とするレンズ付き鏡。
【請求項２】
前記レンズは、凸レンズであることを特徴とする請求項１記載のレンズ付き鏡。
【請求項３】
前記支持体は、
鏡面外周部を囲繞する第１筒体と、
レンズ外周部を囲繞し、前記第１筒体と同軸的に嵌合される第２筒体と
を備えることを特徴とする請求項１又は２記載のレンズ付き鏡。
【請求項４】
前記第１筒体及び第２筒体の一方は外周面に雄螺子を備え、他方は内周面に雌螺子を備え、前記雄螺子及び前記雌螺子が螺合されていることを特徴とする請求項３記載のレンズ付き鏡。
【請求項５】
前記支持体を支持する支持部材を備えることを特徴とする請求項１〜４の何れかに記載のレンズ付き鏡。
【発明の詳細な説明】
【０００１】
【発明の属する技術分野】
本発明は、鏡体の鏡面上方にレンズが設けられたレンズ付き鏡に関する。
【０００２】
【従来の技術】
化粧をする場合、鏡を使用して自身の像を見るが、例えばファウンデーションを塗ったり、目元の化粧を行う場合などは、老眼鏡などのメガネを外す必要がある。メガネを外した場合、鏡に映る自身の像が見え難くなり、化粧は困難になる。例えば鏡面に映る像がぼやけるため、ファウンデーションを塗りすぎる場合がある。老眼鏡などのメガネを外した場合でも化粧が行えるように、鏡面部分に凸レンズを備えた凸レンズ付鏡が提案されている（例えば、特許文献１参照）。
【０００３】
【特許文献１】
特開平９−８０３２７号公報
【０００４】
【発明が解決しようとする課題】
凸レンズにより、メガネを外した状態でも、鏡に映る自身の像が見え易くなるが、老眼の度合は人によって異なり、同じ人でも時間の経過に伴って悪化するのが一般的である。しかし、上述した凸レンズ付鏡は鏡面部分に凸レンズが固定されており、特定の度合の老眼にしか対応できない。複数の度合の老眼に対応するためには、老眼の度合に応じた複数種類の凸レンズ付鏡を用意する必要がある。
【０００５】
本発明は斯かる事情に鑑みてなされたものであり、凸レンズなどのレンズを鏡面方向に移動自在に支持する支持体を備えることにより、レンズと鏡面との距離を調整し、鏡体の鏡面に映る自身の像のピントを合わせることが可能なレンズ付き鏡を提供することを目的とする。
【０００６】
また、本発明は、鏡面外周部を囲繞する第１筒体及びレンズ外周部を囲繞する第２筒体を同軸的に嵌合させることにより、鏡面及びレンズ間の距離を調整し、鏡体の鏡面に映る自身の像のピントを合わせることが可能なレンズ付き鏡を提供することを他の目的とする。
【０００７】
また、本発明は、前記第１筒体及び第２筒体の一方の外周面に設けられた雄螺子と、他方の内周面に設けられた雌螺子とを螺合させることにより、第１筒体又は第２筒体の回転に応じてレンズ及び鏡面間の距離を調整し、鏡体の鏡面に映る自身の像のピントを合わせることが可能なレンズ付き鏡を提供することを他の目的とする。
【０００８】
また、本発明は、支持体（第１筒体又は第２筒体）を支持する支持部材を備えることにより、鏡面を見易い位置及び／又は向きに調整することが可能なレンズ付き鏡を提供することを他の目的とする。
【０００９】
【課題を解決するための手段】
第１発明に係るレンズ付き鏡は、鏡面を有する鏡体と、レンズと、レンズを鏡面方向に移動自在に支持する支持体とを備えることを特徴とする。
【００１０】
第２発明に係るレンズ付き鏡は、第１発明において、前記レンズは、凸レンズであることを特徴とする。
【００１１】
第３発明に係るレンズ付き鏡は、第１又は第２発明において、前記支持体は、鏡面外周部を囲繞する第１筒体と、レンズ外周部を囲繞し、前記第１筒体と同軸的に嵌合される第２筒体とを備えることを特徴とする。
【００１２】
第４発明に係るレンズ付き鏡は、第３発明において、前記第１筒体及び第２筒体の一方は外周面に雄螺子を備え、他方は内周面に雌螺子を備え、前記雄螺子及び前記雌螺子が螺合されていることを特徴とする。
【００１３】
第５発明に係るレンズ付き鏡は、第１〜第４発明の何れかにおいて、前記支持体を支持する支持部材を備えることを特徴とする。
【００１４】
第１又は第２発明においては、支持体により、凸レンズなどのレンズは、鏡面上方で鏡面方向に移動自在に支持されている。使用者は、レンズを鏡面方向（鏡面に近づく方向又は鏡面から遠ざかる方向）に移動させ、鏡体の鏡面に映る自身の像のピントが合うように、レンズと鏡面との距離を調整することが可能である。
【００１５】
第３発明においては、鏡面外周部を囲繞する第１筒体及びレンズ外周部を囲繞する第２筒体が、同軸的に移動自在に嵌合されている。使用者は、第１筒体又は第２筒体を、中心軸に沿って第２筒体又は第１筒体に対して移動させることにより、鏡面及びレンズ間の距離を変化させ、鏡体の鏡面に映る自身の像のピントを調整することが可能である。
【００１６】
第４発明においては、前記第１筒体及び第２筒体の一方の外周面に設けられた雄螺子及び他方の内周面に設けられた雌螺子の螺合により、第１筒体（又は第２筒体）を、第２筒体（又は第１筒体）に対して回転させることにより、第１筒体（又は第２筒体）は回転しながら第２筒体（又は第１筒体）に対して上下に移動する。使用者は、第１筒体又は第２筒体を回転させ、鏡体の鏡面に映る自身の像のピントが合うように、レンズと鏡面との距離を調整することが可能である。
【００１７】
第５発明においては、支持体（第１筒体又は第２筒体）を支持部材で支持する。支持部材として、例えばアーム付きのスタンドを用いることが可能である。アーム先端にレンズ付き鏡を取付けた場合、使用者はアームを曲げて、鏡面を見易い位置及び／又は向きに調整することが可能である。
【００１８】
【発明の実施の形態】
以下、本発明をその実施の形態を示す図面に基づいて具体的に説明する。
（第１の実施の形態）
本発明に係るレンズ付き鏡の斜視図を図１に、断面図を図２に示す。レンズ付き鏡１０は、鏡面を有する鏡体２２と、鏡体２２を支持する鏡支持体（第１筒体）２４と、老眼用の凸レンズなどのレンズ１２と、レンズ１２を支持するレンズ支持体（第２筒体）１４とを有する。本説明では、鏡体（鏡面）２２は円板形状をしており、鏡支持体２４は円筒形状の側壁の下端が底面で閉じられた形状をしており、鏡支持体２４内の底面上に設けられた載台２０上に鏡体２２が固定されている。また、本説明では、レンズ１２は円板形状をしており、レンズ支持体１４は鏡支持体２４よりも径の小さい円筒形状をしており、レンズ支持体１４の上側開口部にレンズ１２が固定されている。
【００１９】
レンズ支持体１４の外周面には雄螺子１６が形成され、鏡支持体２４の内周面には雌螺子２６が形成され、前記雄螺子１６及び前記雌螺子２６が螺合された状態で、レンズ支持体１４が鏡支持体２４内に挿入されている。雌螺子２６及び雄螺子１６の螺合により、レンズ支持体１４を鏡支持体２４に対して回転させた場合、レンズ支持体１４は鏡支持体２４に対して回転しながら上下移動する。例えば図１のＡ方向にレンズ支持体１４を回転させた場合、レンズ支持体１４は鏡支持体２４に対して下方に移動し、Ａ方向とは逆向きにレンズ支持体１４を回転させた場合、レンズ支持体１４は鏡支持体２４に対して上方に移動する。レンズ支持体１４を鏡支持体２４に対して回転させることにより、レンズ１２と鏡体（鏡面）２２との距離が変化する。
【００２０】
レンズ支持体１４を鏡支持体２４に対して回転させた場合の鏡支持体２４に対するレンズ支持体１４の上下移動の例を図３（ａ）、（ｂ）に示す。図３（ａ）はレンズ１２と鏡体２２との距離が最小の状態であり、図３（ｂ）はレンズ１２と鏡体２２との距離が最大の状態である。レンズ１２及び鏡体２２間の最小距離は、載台２０の高さで予め調整しておくことが可能である。レンズ付き鏡１０の使用者は、レンズ支持体１４を回転させてレンズ１２と鏡体２２との距離を変化させ、鏡体（鏡面）２２に映る自身の像のピントを調整することが可能である。
【００２１】
レンズ１２の直径を例えば５ｃｍ程度にし、レンズ付き鏡１０を携帯することが可能である。携帯時は、図３（ａ）に示したように、レンズ１２と鏡体２２との距離（レンズ付き鏡１０の高さ）を最小にしたり、ピントを調整した状態のまま持ち運ぶことが可能である。
【００２２】
（第２の実施の形態）
レンズ付き鏡１０を支持部材で支持することも可能である。図４に、支持部材で支持されたレンズ付き鏡の例を示す。図４の例では、スタンド３２に一端が固定されたアーム３０の他端に、レンズ付き鏡１０の鏡支持体２４が固定されている。アーム３０は、自在に曲げることが可能なものを用いることが好ましい。また、レンズ付き鏡１０（鏡支持体２４）をアーム３０に着脱自在に取付けることも可能である。据置で使用する場合、鏡体２２の直径は、例えば１２〜１５ｃｍにすることが可能である。
【００２３】
レンズ付き鏡１０を支持する支持部材は、アーム３０に限定はされず、図５に示すように、例えばＶ字型のスタンド４０を用いるなど、任意の支持部材を用いることが可能である。また、例えば図６に示すように、レンズ支持体１４又は鏡支持体２４の外周に、貫通孔を有する突出部４２を設け、前記貫通孔に紐などを通してレンズ付き鏡１０を吊り下げることも可能である。
【００２４】
上述した実施の形態では、レンズ支持体１４を鏡支持体２４内に挿入したが、例えば図７に示すように、鏡支持体２４をレンズ支持体１４内に挿入することも可能である。また、上述した実施の形態においては、雄螺子１６及び雌螺子２６を使用してレンズ１２及び鏡体２２の距離を調整（レンズ支持体１４を移動及び半固定）したが、例えば図７に示すように、ゴム５２などの摩擦部材を用いて、レンズ付き鏡５０のレンズ１２及び鏡体２２の距離を調整（レンズ支持体１４を移動及び半固定）することも可能である。
【００２５】
また、レンズ付き鏡１０を携帯する場合、レンズ１２に蓋を被せることも可能である。図８に、蓋６２の取付け／取外しが可能なレンズ付き鏡６０の例を示す。レンズ付き鏡６０の構成は図２に示すレンズ付き鏡１０とほぼ同様であるが、鏡支持体２４の上端外周部に雄螺子６６が形成されている。蓋６２は、円筒形状の側壁の上端が閉じられた形状をしており、側壁内面には雌螺子６４が形成されている。鏡支持体２４の雄螺子６６に蓋６２の雌螺子６４を螺合させ、蓋６２を回転（取外し方向／取外し方向に回転）させることにより、蓋６２の取付け／取外しを行うことが可能である。
【００２６】
【発明の効果】
第１又は第２発明によれば、凸レンズなどのレンズを鏡面方向に移動自在に支持する支持体により、レンズと鏡面との距離を調整し、鏡体の鏡面に映る自身の像のピントを合わせることが可能である。例えば、使用者の老眼の度合に応じて、ピントを調整することが可能である。
【００２７】
第３発明によれば、鏡面外周部を囲繞する第１筒体及びレンズ外周部を囲繞する第２筒体を同軸的に嵌合させることにより、中心軸に沿って第１筒体又は第２筒体を移動させ、鏡面及びレンズ間の距離を調整し、鏡体の鏡面に映っている自身の像のピントを合わせることが可能である。
【００２８】
第４発明によれば、前記第１筒体及び第２筒体の一方の外周面に設けられた雄螺子と、他方の内周面に設けられた雌螺子とを螺合させることにより、第１筒体（又は第２筒体）を回転させた場合、第１筒体（又は第２筒体）が第２筒体（又は第１筒体）に対して上下移動する。第１筒体又は第２筒体を回転させることにより、レンズと鏡面との距離を調整し、鏡体の鏡面に映っている自身の像のピントを合わせることが可能である。
【００２９】
第５発明によれば、支持体（第１筒体又は第２筒体）を支持する支持部材により、鏡面を見易い位置及び／又は向きに調整することが可能である。手で支持する必要が無いため、両手を使用して化粧を行える。
【図面の簡単な説明】
【図１】本発明に係るレンズ付き鏡の斜視図である。
【図２】図１に示すレンズ付き鏡の断面図である。
【図３】鏡支持体に対するレンズ支持体の上下移動の例を示す図である。
【図４】本発明に係るレンズ付き鏡の例を示す斜視図である。
【図５】本発明に係るレンズ付き鏡の例を示す斜視図である。
【図６】本発明に係るレンズ付き鏡の例を示す上面図である。
【図７】本発明に係るレンズ付き鏡の例を示す断面図である。
【図８】本発明に係るレンズ付き鏡の例を示す断面図である。
【符号の説明】
１０、５０、６０  レンズ付き鏡
１２  レンズ
１４  レンズ支持体（第２筒体）
１６  雄螺子
２２  鏡体
２４  鏡支持体（第１筒体）
２６  雌螺子
３０  アーム（支持部材）
４０  スタンド（支持部材）
４２  突出部
５２  ゴム
６２  蓋
【図１】
2004170823.tif 000003
【図２】
2004170823.tif 000004
【図３】
2004170823.tif 000005
【図４】
2004170823.tif 000006
【図５】
2004170823.tif 000007
【図６】
2004170823.tif 000008
【図７】
2004170823.tif 000009
【図８】
2004170823.tif 000010